(57)【要約】【課題】感染症に指定された患者と接触した可能性のある他の患者を簡単かつ迅速に特定できるようにする。【解決手段】ナースコール親機２の検索画面に感染症対応検索モードの指定ボタンを表示し、この指定ボタンをオペレータが押下すると感染症対応検索モードとなる。そして、この状態でオペレータが感染症に指定された患者名又はＩＤと期間又は日付を検索条件として入力すると、在院履歴データベース２２ａが検索され、上記感染症に指定された患者と同一期間又は日に同一病棟又は病室に在院した他の患者のリストが作成されて表示される。【選択図】    図２
2005025457.tif 000002
【特許請求の範囲】
【請求項１】
複数の患者の各識別情報に対応付けて、少なくとも当該患者が滞在した病棟又は病室を表す情報とその在院期間を記憶した在院履歴データベースと、
前記在院履歴データベースに対する検索モードとして、感染症対応検索モードを指定入力する手段と、
前記感染症対応検索モードが指定された状態で、感染症に指定された患者の識別情報を検索条件として入力する手段と、
前記入力された患者の識別情報をもとに前記在院履歴データベースを検索し、その検索結果をもとに、前記感染症に指定された患者と同一期間に同一病棟又は病室に滞在した他の患者のリストを作成する患者リスト作成手段と
を具備することを特徴とする看護支援システム。
【請求項２】
前記患者リスト作成手段は、前記他の患者の識別情報を、感染症に指定された患者が使用した病床に対し距離的に近い順に配列したリストを作成することを特徴とする請求項１記載の看護支援システム。
【請求項３】
前記患者リスト作成手段は、前記他の患者の識別情報を、年齢順に配列したリストを作成することを特徴とする請求項１記載の看護支援システム。
【請求項４】
前記患者リスト作成手段は、前記他の患者の識別情報を、病状が重い順に配列したリストを作成することを特徴とする請求項１記載の看護支援システム。
【請求項５】
前記作成された他の患者のリストをもとに、当該他の患者及び感染症に指定された患者が滞在した病棟又は病室における病床の配置を表すレイアウト画面を作成して表示する手段を、
さらに具備することを特徴とする請求項１記載の看護支援システム。
【請求項６】
前記在院履歴データベースに、各患者の担当医療スタッフを表す情報が記憶されている場合に、
前記入力された患者の識別情報をもとに前記在院履歴データベースを検索し、前記感染症に指定された患者を担当した病院スタッフのリストを作成するスタッフリスト作成手段を
さらに具備することを特徴とする請求項１記載の看護支援システム。
【請求項７】
前記在院履歴データベースに、各患者の外出履歴を表す情報が記憶されている場合に、
前記入力された患者の識別情報をもとに前記在院履歴データベースを検索し、前記感染症に指定された患者の外出先のリストを作成する外出先リスト作成手段を
さらに具備することを特徴とする請求項１記載の看護支援システム。
【請求項８】
前記在院履歴データベースに、患者ごとの見舞客のリストが記憶されている場合に、
前記入力された患者の識別情報をもとに前記在院履歴データベースを検索し、前記感染症に指定された患者に対する見舞客のリストを作成する外出先リスト作成手段を
さらに具備することを特徴とする請求項１記載の看護支援システム。
【発明の詳細な説明】
【０００１】
【発明の属する技術分野】
この発明は、病院や介護施設において、看護師や介護師等の医療スタッフに対する看護支援を行うために使用される看護支援システムに関する。
【０００２】
【従来の技術】
病院では、退院後の患者が感染症と指定される場合がある。このような場合病院では、一般に過去の日誌や在院名簿、看護記録等の台帳を検索するか、又は当日勤務していたスタッフの記憶をもとに、感染症と指定された患者を特定して、当該患者が滞在していた期間に同一の病棟又は病室に滞在していた他の患者を探すようにしている。
【０００３】
また、病院内におけるカルテや患者の移動を記録し、その記録情報をもとにカルテや患者が存在するセクションを迅速に特定できるようにするシステムも提案されている。（例えば、特許文献１を参照。）。
【０００４】
【特許文献１】
特開２００２−１６９８８３。
【０００５】
【発明が解決しようとする課題】
ところが前者の手法では、過去の日誌や在院名簿、看護記録等の多数の台帳を検索するか、またはスタッフの記憶をもとに、該当する患者を検索するものであるため、検索に多くの手間と時間を要し、また検索結果が不正確なものになるおそれがある。一方、後者のシステムによれば患者本人の入院中の移動経路については特定できるが、入院中に当該患者と接触した他の患者については特定することが困難である。
【０００６】
この発明は上記事情に着目してなされたもので、その目的とするところは、感染症に指定された患者と接触した可能性のある他の患者を簡単かつ迅速に特定できるようにした看護支援システムを提供することを目的とする。
【０００７】
【課題を解決するための手段】
上記目的を達成するためにこの発明に係わる看護支援システムは、複数の患者の各識別情報に対応付けて少なくとも当該患者が滞在した病棟又は病室を表す情報とその在院期間を記憶した在院履歴データベースと、上記在院履歴データベースに対する検索モードとして感染症対応検索モードを指定入力する手段と、検索条件を入力する手段と、患者リスト作成手段とを備えている。そして、上記感染症対応検索モードが指定された状態で、感染症に指定された患者の識別情報が検索条件として入力された場合に、上記患者リスト作成手段により、上記入力された患者の識別情報をもとに上記在院履歴データベースを検索し、その検索結果をもとに上記感染症に指定された患者と同一期間に同一病棟又は病室に滞在した他の患者のリストを作成するようにしたものである。
【０００８】
したがってこの発明によれば、在院履歴のある患者が退院後或いは在院中に感染症に指定された場合に、病院のスタッフは、看護支援システムにおいて感染症対応検索モードを指定したのち感染症に指定された患者の識別情報を検索条件として入力するだけで、上記感染症に指定された患者と同一期間に同一病棟又は病室に滞在した他の患者のリストを取得することが可能となる。
【０００９】
上記患者リスト作成手段としては、他の患者の識別情報を、感染症に指定された患者が使用した病床に対し距離的に近い順に配列したリストを作成するもの、年齢順に配列したリストを作成するもの、病状が重い順に配列したリストを作成するもの等が考えられる。これらの構成を採用すると、感染症に指定された患者と同一期間に同一の病棟または病室に在院した複数の患者が感染の可能性が高い順に配列されたリストが作成されることになり、このリストをもとに効果的な追跡調査を実施することができる。
【００１０】
また、上記作成された他の患者のリストをもとに、当該他の患者及び感染症に指定された患者が滞在した病棟又は病室における病床の配置を表すレイアウト画面を作成して表示するとよい。このようにすると、感染症に指定された患者が滞在していた当時の病棟又は病室の患者一覧が、病棟又は病室のレイアウト画面により表示される。このため、感染症に指定された患者と他の患者との病棟及び病室内における遠近関係を一目で把握することができ、これにより効果的な追跡調査を実施できる。
【００１１】
またこの発明は、在院履歴データベースに各患者の担当医療スタッフを表す情報が記憶されている場合に、この在院履歴データベースをもとに、感染症に指定された患者を担当した病院スタッフのリストを作成することを特徴とする。
【００１２】
また、上記在院履歴データベースに各患者の外出履歴を表す情報が記憶されている場合には、この在院履歴データベースをもとに、感染症に指定された患者の外出先のリストを作成することも特徴とする。
【００１３】
さらに、在院履歴データベースに患者ごとの見舞客のリストが記憶されている場合には、この在院履歴データベースをもとに、感染症に指定された患者に対する見舞客のリストを作成することも特徴とする。
【００１４】
これらの手段を備えることで、感染症に指定された患者と同一期間に同一の病棟または病室に在院した患者に止まらず、感染症に指定された患者と接触した可能性が高い病院スタッフ、外泊等による滞在先、見舞客についても特定することが可能となり、これによりさらに広範囲にわたり感染症対策を講じることが可能となる。
【００１５】
【発明の実施の形態】
図１は、この発明の一実施形態に係わる看護支援システムの概略構成図である。なお、この実施形態では病棟に設置されるナースコールシステムを例にとって説明する。
【００１６】
ナースコールシステムは、各病室にそれぞれ設置される病室ユニット１１〜１ｎと、ナースセンタに設置されるナースコール親機２とを備え、これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Ｐｒｉｖａｔｅ  Ｂｒａｎｃｈ  Ｅｘｃｈａｎｇｅ）４を備え、ハンディナースコール主装置３には無線ユニット６が接続され、またＰＢＸ４は公衆網５に接続される。
【００１７】
さらに、上記ナースコール親機２は、例えばＬＡＮ（Ｌｏｃａｌ  Ａｒｅａ  Ｎｅｔｗｏｒｋ）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１８】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００１９】
このうち、握り押しボタン１１０及びトイレ・浴室用押しボタン１０３は患者が看護師を呼び出す際に使用するもので、その操作信号はそれぞれ壁埋め込み型子機１０８又はＩ／Ｏユニット１０６を介して個別情報廊下灯１０７に伝えられる。また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出の発生を表示する。またそれと共に、呼出信号を生成してナースコール親機２へ送信する。呼出信号には、押しボタンの番号又はアドレス情報が挿入される。
【００２０】
マイクロホン１０１とスピーカ１０２、ハンド型子機１０９及び壁埋め込み型子機１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００２１】
ハンディナースコール主装置３は、例えば構内ＰＨＳ（Ｐｅｒｓｏｎａｌ  Ｈａｎｄｙｐｈｏｎｅ  Ｓｙｓｔｅｍ）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ（Ｐｒｉｖａｔｅ  Ｂｒａｎｃｈ  Ｅｘｃｈａｎｇｅ）４が接続される。
【００２２】
ところで、ナースコール親機２は次のように構成される。図２はその機能構成を示すブロック図である。
すなわち、ナースコール親機２は、制御部として例えばマイクロコンピュータを使用する中央処理ユニット（ＣＰＵ；Ｃｅｎｔｒａｌ  Ｐｒｏｃｅｓｓｉｎｇ  Ｕｎｉｔ）２０を備える。このＣＰＵ２０には、プログラムメモリ２１及びデータメモリ２２が接続されており、さらに通信インタフェース２３，２４と、ネットワークインタフェース２５と、通話インタフェース２６と、入力表示インタフェース２７がそれぞれ接続されている。
【００２３】
このうち通信インタフェース２３は、ＣＰＵ２０の制御の下、上記各病室ユニット１１〜１ｎとの間で信号の伝送を行う。同様に通信インタフェース２４は、ＣＰＵ２０の制御の下、上記ハンディナースコール主装置２４との間で信号の送受信を行う。ネットワークインタフェース２５は、ＣＰＵ２０の制御の下、上記ＬＡＮ７との間で信号の送受信を行う。
【００２４】
通話インタフェース２６には、看護師が患者との間で通話を行うために使用するマイクロホン２６１及びスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００２５】
入力表示インタフェース２７には、タッチパネル／表示器２７１が接続される。タッチパネル／表示器２７１は、例えばＣＲＴ（Ｃａｔｈｏｄｅ  Ｒａｙ  Ｔｕｂｅ）又はＬＣＤ（Ｌｉｑｕｉｄ  Ｃｒｙｓｔａｌ  Ｄｅｖｉｃｅ）からなる表示器の表示画面上に透明感圧シートを貼付したもので、情報の表示機能と入力機能とを併せ持っている。入力表示インタフェース２７は、ＣＰＵ２０から供給された表示情報を上記タッチパネル／表示器２７１に表示すると共に、タッチパネル／表示器２７１において入力された操作情報をＣＰＵ２０に供給する。
【００２６】
データメモリ２２には、この発明を実施するために必要なデータベースとして、在院履歴データベース２２ａと、作成リスト記憶メモリ２２ｂとが設けられている。
【００２７】
このうち在院履歴データベース２２は、患者の過去及び現在における在院履歴情報を記憶するもので、在院履歴情報は看護支援サーバ９からＬＡＮ７を介して伝送される基本データにより定期的に更新される。在院履歴情報は、例えば図４に示すように各患者の氏名及びＩＤ（Ｉｄｅｎｔｉｆｉｃａｔｉｏｎ  Ｄａｔａ）に対応付けて、当該患者の在院期間、在院時の病棟及び病室番号、属性情報をそれぞれ記憶すると共に、担当病院スタッフ、在院期間中における外出（外泊）先、見舞客を表す情報等も記憶したものである。なお、属性情報には、患者の年齢、性別、住所、連絡先電話番号、病名等が含まれる。一方作成リスト記憶メモリ２２ｂは、後述するリスト作成制御プログラムにより作成される感染症対応用の複数種のリストを記憶するために使用される。
【００２８】
プログラムメモリ２１には、この発明の一実施形態を実現するためのプログラムとして、感染症対応検索制御プログラム２１ａと、リスト作成制御プログラム２１ｂと、作成リスト出力制御プログラム２１ｃが格納されている。
【００２９】
感染症対応検索制御プログラム２１ａは、例えば検索画面の検索メニューに感染症対応検索モードの指定ボタンを表示する。そして、この感染症対応検索モードの指定ボタンが押下された場合に感染症対応検索モードとなり、この状態で検索条件が入力されると、この入力された検索条件に従い上記在院履歴情報に対し感染症対応リストを作成するための検索処理を行う。
【００３０】
リスト作成制御プログラム２１ｂは、上記感染症対応検索制御プログラム２１ａによる検索処理により抽出されたデータをもとに、感染症対応用の複数種のリストを作成し、この作成された各リストを作成リスト記憶メモリ２２ｂに記憶する。作成されるリストには、病棟・病室別患者リストと、患者別の担当病院スタッフリストと、患者別の外出先リストと、患者別の見舞客リストがある。
【００３１】
作成リスト出力制御プログラム２１ｃは、上記リスト作成制御プログラム２１ｂにより作成された各種リストを予め決められた表示フォーマットに編集し、この編集されたリストをタッチパネル／表示器２７１に表示する。また、印刷ボタンの押下に応じ、上記編集されたリストをプリンタ１０へ送信してプリントアウトさせる。さらに、送信操作に応じ、上記編集されたリストをＬＡＮ７を介して看護支援サーバ９や院内の他の端末装置へ送信したり、ＰＢＸ４から公衆網５を介して院外の所望の端末装置へ送信する制御も実行する。
【００３２】
次に、以上のように構成された看護支援システムにおける感染症対応機能の動作を説明する。
図３は、ナースコール親機による感染症対応検索制御、感染症対応リストの作成制御及び作成リストの出力制御の手順と内容を示すフローチャートである。
【００３３】
感染症対応リストを出力しようとする場合、オペレータはナースコール親機２において感染症対応検索モードを指定する。この感染症対応検索モードを指定は、例えば検索画面に表示される複数の検索メニューのうち、感染症対応検索モードの指定ボタンを押下することによりなされる。
【００３４】
ナースコール親機２は、上記検索メニューの指定ボタンが押下されると、ステップ３ａで検索モードが感染症対応検索モードであるか通常の検索モードであるかを判定する。感染症対応検索モードが指定されると、ステップ３ｂにより検索条件の入力を受け付ける。この状態でオペレータが、検索条件として感染症に指定された患者名又はＩＤと、期間又は日付を入力し、しかるのち検索ボタンを押下したとする。
【００３５】
そうするとナースコール親機２は、ステップ３ｃからステップ３ｄに移行してここで在院履歴データベース３８を検索し、先ず上記入力された患者名又はＩＤに対応する患者の履歴情報の有無を判定する。そして、該当する患者の履歴情報が存在した場合には、次に当該患者が上記入力された期間又は日付において在院した病棟及び病室番号を読み出し、さらに当該病棟及び病室に在院した他の患者の情報をすべて読み出す。
【００３６】
続いてナースコール親機２は、上記読み出された情報をもとに、ステップ３ｅにより上記入力された期間又は日付における病棟・病室別の患者リストを作成する。この病棟・病室別の患者リストは、病棟名／病室番号と、患者名及びそのＩＤと、これらの患者の属性情報とから構成される。図５にこの病棟・病室別の患者リストの一例を示す。そしてナースコール親機２は、上記作成された病棟・病室別の患者リストを、ステップ３ｆによりタッチパネル／表示器２７１に表示する。
【００３７】
またナースコール親機２は、上記読み出された患者の情報をもとに、病棟・病室別患者リストを病棟及び病室のレイアウト画面に編集して表示する機能も有する。すなわち、別のデータベースから該当する病棟及び病室のレイアウト画像を読み出し、この読み出されたレイアウト画像に上記読み出された患者の情報を合成する。そして、この作成されたレイアウト画面をタッチパネル／表示器２７１に表示する。図７にこのレイアウト画面の一例を示す。なお、図７に示すように感染症に指定された患者Ｋ１については反転や網掛けを用いて表示したり、また表示色を異ならせて表示するとよい。
このように病棟・病室別患者リストをレイアウト表示すると、感染症に指定された患者と他の患者との病棟及び病室内における遠近関係を一目で把握することができる。
【００３８】
さらにナースコール親機２は、上記病棟・病室別患者リスト以外に、患者別病院スタッフリスト、患者別外出先リスト及び患者別見舞客リストを作成し、出力することも可能である。
すなわち、オペレータが、タッチパネル／表示器２７１に表示された出力リストメニューの中から所望のメニューボタンを押下したとする。そうするとナースコール親機２は、指定された出力リストの種類をステップ３ｇで判定し、この判定結果に応じて出力リストを作成し表示する。
【００３９】
例えば、患者別病院スタッフリストが指定されると、ナースコール親機２はステップ３ｈに移行してここで在院履歴データベース２２ａを検索して必要な情報を読み出し、感染症に指定された患者を担当した病院スタッフリストをステップ３ｉにより作成する。この担当病院スタッフリストは、例えば感染症に指定された患者名及びそのＩＤと、当該患者を担当した医師、看護士及び検査技師の氏名と、これら病院スタッフの属性情報とから構成される。属性情報には、現在の所属医局名とその連絡先電話番号、所属病棟名とその連絡先電話番号等が含まれる。さらに、病院スタッフの属性情報には該当患者との係わりの強さを表す情報を加えてもよい。ナースコール親機２は、上記作成されたリストをステップ３ｊによりタッチパネル／表示器２７１に表示する。図６にこの担当病院スタッフリストの一例を示す。
【００４０】
また、患者別外出先リストが指定された場合には、ナースコール親機２はステップ３ｋにより在院履歴データベース２２ａを検索して必要な情報を読み出す。そして、感染症に指定された患者が指定期間に外出しているか否かを判定し、外出していた場合にはステップ３ｍにより外出先の一覧を示すリストを作成する。そして、この作成された外出先リストをステップ３ｊによりタッチパネル／表示器２７１に表示する。なお、外出先リストには、立ち寄り先や外泊先の連絡先電話番号又はメールアドレス等を付加しておくとよい。
【００４１】
さらに、見舞客リストが指定された場合には、ナースコール親機２はステップ３ｎにより在院履歴データベース２２ａを検索して必要な情報を読み出す。そして、感染症に指定された患者に対し指定期間内に訪れた見舞客の有無を判定し、見舞客がいた場合にはステップ３ｏにより見舞客のリストを作成する。そして、この作成された見舞客リストをステップ３ｊによりタッチパネル／表示器２７１に表示する。見舞客のリストには、先に述べた外出先リストと同様に連絡先の電話番号又はメールアドレス等を付加しておくとよい。
【００４２】
なお、上記各リストは、オペレータの印刷ボタンの押下に応じプリンタ１０へ送信されてプリントアウトしたり、また送信操作に応じてＬＡＮ７を介して看護支援サーバ９や院内の他の端末装置に送信したり、さらにはＰＢＸ４から公衆網５を介して院外の所望の端末装置へ送信することも可能である。
【００４３】
以上述べたようにこの実施形態では、ナースコール親機２の検索画面に感染症対応検索モードの指定ボタンを表示し、この指定ボタンをオペレータが押下すると感染症対応検索モードとなる。そして、この状態でオペレータが感染症に指定された患者名又はＩＤと期間又は日付を検索条件として入力すると、在院履歴データベース２２ａが検索され、上記感染症に指定された患者と同一期間又は日に同一病棟又は病室に在院した他の患者のリストが作成されて表示される。
【００４４】
したがって、在院履歴のある患者が退院後或いは在院中に感染症に指定された場合に、病院スタッフはナースコール親機２において感染症対応検索モードを指定したのち、感染症に指定された患者名又はＩＤと期間又は日付を検索条件として入力するだけで、上記感染症に指定された患者と同一期間に同一病棟又は病室に滞在した他の患者のリストを簡単かつ迅速に取得することが可能となる。そして、このリストをもとに、感染の心配のある患者に対する追跡調査を迅速に実施することが可能となる。
【００４５】
また本実施形態では、上記患者リストをもとに、当該患者及び感染症に指定された患者が滞在した病棟又は病室における病床の配置を表すレイアウト画面を作成して表示することを可能にしている。このため、感染症に指定された患者と他の患者との病棟及び病室内における遠近関係を一目で把握することができ、これにより危険度の高い患者から追跡調査を実施することが可能となる。
【００４６】
さらに、上記した病棟・病室別患者リスト以外に、感染症に指定された患者を担当した病院スタッフのリスト、当該患者の外出先リスト及び見舞客リストを作成して表示することも可能にしている。このため、病院スタッフ、外出先及び見舞客についても簡単かつ迅速に把握でき、これら病院スタッフ、外出先及び見舞客に対して感染症に対する追跡調査を迅速に実施することが可能となる。
【００４７】
なお、この発明は上記実施形態に限定されるものではない。例えば、前記実施形態では、検索条件として患者名又はそのＩＤと在院日付を入力し、これにより上記入力された在院日に上記ＩＤが入力された患者と同一病室に滞在していた他の患者のリストを作成して表示するようにした。
【００４８】
しかし、感染症に指定された患者の在院期間が分からず、検索条件として患者ＩＤしか入力されない場合もあり得る。そこで、この場合ナースコール親機２は、上記入力された患者名又はそのＩＤをもとに先ず在院履歴データベース２２ａから当該患者の在院履歴情報を読み出して表示する。次に、この表示された在院履歴情報をもとにオペレータが在院期間または日時を入力することにより、この入力された在院日における同室患者のリストを作成して表示する。このようにすると、感染症に指定された患者の在院期間が分からない場合でも、簡単かつ確実に同室患者のリストを作成することができる。
【００４９】
また前記実施形態では、感染症に指定された患者が滞在していた病棟及び病室の患者リストを、病棟及び病室のレイアウト画面に編集して表示する場合について例示した。しかし、これに限るものではなく、患者名を病室単位にまとめた状態で一列又は複数列に配列した、いわゆるナースコールボード形式のリストを作成し、このナースコールボード形式のリストをタッチパネル／表示器２７１に表示するようにしてもよい。
【００５０】
また、患者名を一列又は複数列に配列した表形式のリストを作成する場合に、患者名を、感染症に指定された患者が使用した病床に対し距離的に近い順に配列したり、年齢が高い順に配列したり、さらには病状が重い順に配列するように構成するとよい。このように構成すると、感染症に指定された患者と同一日時に同一の病室に在院した複数の患者名が、感染の可能性が高い順に配列されたリストが作成されることになり、病院担当者はこのリストをもとに感染の可能性が高い患者から順に追跡調査を開始することが可能となる。
【００５１】
さらに前記実施形態では、感染症対応検索制御、感染症対応リストの作成制御及びその出力制御をナースコール親機２で実行する場合を例にとって説明した。しかし、それ以外に看護支援サーバ９の付属端末装置や、看護支援サーバ９に接続可能な他の院内端末装置において実行するようにしてもよい。
【００５２】
さらに前記実施形態では、感染症に指定された患者と同一時期に同室だった他の患者のリスト、患者の担当病院スタッフ、患者の外出先及び見舞客の各リストを作成して出力するようにした。しかしそれに限らず、上記感染症に指定された患者に対し専門の派遣会社等から派遣された付き添い者が付けられていた場合や、家族、親族或いは職場から派遣された付き添い者が付けられていた場合には、これらの付き添い者を上記担当病院スタッフまたは見舞客のリストに含めて出力するようにしてもよい。
【００５３】
さらに前記実施形態では、病院に設置される看護支援サーバを例にとって説明した。しかしそれに限らず、老人ホームや特別養護老人ホーム等の介護施設等に設置される看護（介護）支援システムにも、この発明は同様に適用可能である。その他、看護支援システムの構成、感染症対応検索制御、感染症対応リストの作成制御及びその出力制御の手順と内容、作成されるリストに含まれる情報の種類とリストのフォーマット等についても、この発明の要旨を逸脱しない範囲で種々変形して実施できることは勿論である。
【００５４】
要するに、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５５】
【発明の効果】
以上詳述したようにこの発明では、複数の患者の各識別情報に対応付けて少なくとも当該患者が滞在した病棟又は病室を表す情報とその在院期間を記憶した在院履歴データベースを設けると共に、この在院履歴データベースの検索モードとして感染症対応検索モードを新たに設ける。そして、この感染症対応検索モードが指定された状態で、感染症に指定された患者の識別情報が検索条件として入力された場合に、患者リスト作成手段により上記入力された患者の識別情報をもとに上記在院履歴データベースを検索し、その検索結果をもとに上記感染症に指定された患者と同一期間に同一病棟又は病室に滞在した他の患者のリストを作成するようにしている。
したがってこの発明によれば、感染症に指定された患者と接触した可能性のある他の患者を簡単かつ迅速に特定することが可能な看護支援システムを提供することができる。
【図面の簡単な説明】
【図１】この発明に係わる看護支援システムの一実施形態を示す概略構成図。
【図２】図１に示した看護支援システムのナースコール親機の構成を示すブロック図。
【図３】図２に示したナースコール親機による感染症対応検索制御、感染症対応リストの作成制御及びその出力制御の手順と内容を示すフローチャート。
【図４】在院履歴データベースに記憶される在院履歴情報の一例を示す図。
【図５】図３に示す感染症対応用のリスト作成制御により作成される病棟・病室別患者リストの一例を示す図。
【図６】図３に示す感染症対応用のリスト作成制御により作成される担当病院スタッフリストの一例を示す図。
【図７】図３に示す作成リスト出力制御により表示される病棟・病室別患者リストの一例を示す図。
【符号の説明】
１１〜１ｎ…病室ユニット、２…ナースコール親機、３…ハンディナースコール主装置、４…構内交換機（ＰＢＸ）、５…公衆網、６…無線ユニット、７…ＬＡＮ、８…ハブ、９…看護支援サーバ、１０…プリンタ、２０…中央処理ユニット（ＣＰＵ）、２１…プログラムメモリ、２１ａ…感染症対応検索制御プログラム、２１ｂ…リスト作成制御プログラム、２１ｃ…作成リスト出力制御プログラム、２２…データメモリ、２２ａ…在院履歴データベース、２２ｂ…作成リスト記憶メモリ、２３，２４…通信インタフェース、２５…ネットワークインタフェース、２６…通話インタフェース、２６１…マイクロホン、２６２…スピーカ、２７…入力表示インタフェース、２７１…タッチパネル／表示器、６１，６２…無線基地局、７１〜７ｍ…携帯端末、１０１…スピーカ、１０２…マイクロホン、１０３…トイレ・浴室用押しボタン、１０４…代表廊下灯、１０５…復旧ボタン、１０６…Ｉ／Ｏユニット、１０７…個別情報廊下灯、１０８…壁埋め込み型子機、１０９…ハンド型子機、１１０…握り押しボタン。
【図１】
2005025457.tif 000003
【図２】
2005025457.tif 000004
【図３】
2005025457.tif 000005
【図４】
2005025457.tif 000006
【図５】
2005025457.tif 000007
【図６】
2005025457.tif 000008
【図７】
2005025457.tif 000009